(57)【要約】      （修正有）【課題】特定空間で利用者の状態に考慮した個別の情報配信システムを提供する。【解決手段】店舗等の特定空間と外部空間との境界部に設けられたゲートを通過する利用者の携帯端末から端末ＩＤやメールアドレスを取得して、入場・退出を判定して特定空間での最適な情報を情報配信サーバより配信するようにした情報配信システム。 【選択図】図１
2005284617.tif 000002
【特許請求の範囲】
【請求項１】
特定空間と外部空間との境界部に設けられたゲートと、当該ゲートを通過する利用者が所持する携帯端末と、前記ゲートに接続された情報配信サーバとからなり、
前記情報配信サーバは前記ゲートを介して利用者が所持している携帯端末が通過したことによって前記携帯端末が特定空間内に進入または退出したことを検出すると、
前記情報配信サーバに設けられたデータベースにおいて、前記携帯端末に対応した情報を読み出して、
前記情報を前記携帯端末に対して配信することを特徴とする特定空間での情報配信システム。
【請求項２】
前記情報は、当該特定空間に関連した情報を格納したネットワーク上のアドレスであり、前記情報配信サーバは、前記アドレスを電子メールとして前記携帯端末に対して配信することを特徴とする請求項１記載の特定空間での情報配信システム。
【請求項３】
前記情報は、当該特定空間に関連した情報を格納したネットワーク上のアドレスであり、前記情報配信サーバは、前記アドレスを前記携帯端末に直接配信して当該アドレスに格納された情報を前記携帯端末の表示手段に表示させることを特徴とする請求項１記載の特定空間での情報配信システム。
【請求項４】
前記情報配信サーバのデータベースには、前記携帯端末を特定する識別子と、前記ゲートを介して前記携帯端末が認識された回数が登録されており、少なくとも前記回数によって配信する情報を変更することを特徴とする請求項１記載の特定空間での情報配信システム。
【請求項５】
前記において奇数回を特定空間への入場状態、偶数回を特定空間からの退出状態と判定してそれぞれ異なる情報を配信することを特徴とする請求項４記載の特定空間での情報配信システム。
【発明の詳細な説明】
【技術分野】
【０００１】
本発明は店舗やイベント会場等の特定空間での情報配信システムに関する。
【背景技術】
【０００２】
ゲートを通過した際に、サーバに設けられた表示部に広告情報を表示する技術として特開２００２−３１１８７１（特許文献１）に示すような先行技術が知られている。
【特許文献１】特開２００２−３１１８７１公報
【発明の開示】
【発明が解決しようとする課題】
【０００３】
しかしながら、前記特許文献１では、情報を配信するための表示手段がサーバに接続された大型の表示装置を意図しているため、ゲートを通過する利用者毎に個別の情報を配信することは難しかった。
最近では、このような一括型の配信による広告表示ではなく、利用者個々に対応した個別の情報を配信する要望が高まっている。
【０００４】
さらに、前記特許文献１では、ゲートを通過する行為には、その特定空間に入る場合と退出する場合とがあるが、単一のゲートで入場・退出を峻別して情報を配信することは難しかった。そのために、入り口と出口でゲートを分けたり、ゲートの通過方向を検出する等、複雑な設備が必要だった。
【０００５】
本発明 は、斯かる実情に鑑みてなされたものであり、店舗やイベント会場等の特定空間への入退出に際して利用者毎の状態に適した個別の情報を配信することが可能な情報配信システムを実現しようとするものである。
【課題を解決するための手段】
【０００６】
本発明は特定空間での情報配信システムにかかるものである。
【０００７】
本発明の請求項１は、「特定空間と外部空間との境界部に設けられたゲートと、当該ゲートを通過する利用者が所持する携帯端末と、前記ゲートに接続された情報配信サーバとからなり、：前記情報配信サーバは前記ゲートを介して利用者が所持している携帯端末が通過したことによって前記携帯端末が特定空間内に進入または退出したことを検出すると、：前記情報配信サーバに設けられたデータベースにおいて、前記携帯端末に対応した情報を読み出して、：前記情報を携帯端末に対して配信することを特徴とする特定空間での情報配信システム。」である。
【０００８】
この発明によれば、携帯端末がゲートを通過したことを認識して、データベースから前記携帯端末に関連付けられた最適な情報を前記携帯端末に対して個別に配信することが可能となる。
【０００９】
本発明の請求項２は、「前記情報は、当該特定空間に関連した情報を格納したネットワーク上のアドレスであり、前記情報配信サーバは、前記アドレスを電子メールとして前記携帯端末に対して配信することを特徴とする請求項１記載の特定空間での情報配信システム。」である。
【００１０】
アドレスとはいわゆるＵＲＬ(Uniform Resource Locator)を意味しており、情報の格納
されたＵＲＬを電子メールで前記携帯端末に配信することにより、ネットワークアクセス可能な汎用の携帯電話端末を用いることができる。
【００１１】
本発明の請求項３は、「前記情報は、当該特定空間に関連した情報を格納したネットワーク上のアドレスであり、前記情報配信サーバは、前記アドレスを前記携帯端末に直接配信して当該アドレスに格納された情報を前記携帯端末の表示手段に表示させることを特徴とする請求項１記載の特定空間での情報配信システム。」である。
【００１２】
本請求項によれば、アドレスとしてのＵＲＬを直接携帯端末に送信することができる。
【００１３】
本発明の請求項４は、「前記情報配信サーバのデータベースには、前記携帯端末を特定する識別子と、前記ゲートを介して前記携帯端末が認識された回数が登録されており、少なくとも前記回数によって配信する情報を変更することを特徴とする請求項１記載の特定空間での情報配信システム。」である。
【００１４】
本請求項によれば、携帯端末がゲートを通過する回数を登録しておくことにより、入場および退出を判定することができ、入場時と退出時とで異なる情報を配信することができる。
【００１５】
本発明の請求項５は、「前記において奇数回を特定空間への入場状態、偶数回を特定空間からの退出状態と判定してそれぞれ異なる情報を配信することを特徴とする請求項４記載の特定空間での情報配信システム。」である。
【００１６】
本請求項によれば、ゲート通過の回数について奇数回と偶数回とで入場と退出を判定して最適な情報を配信することができる。
【発明の効果】
【００１７】
本発明の請求項１〜４記載の発明によれば、特定空間の境界領域に設けられたゲートを通過する際に利用者が所持する携帯端末に対して利用者の状態を考慮した個別の情報を配信することができる。
【発明を実施するための最良の形態】
【００１８】
以下、本発明の実施の形態を添付図面を参照して説明する。
図１〜図５は発明を実施する形態の一例である。
本発明は、図１に示すようにゲート（ＧＴ）を通過した利用者（ＵＳＥＲ）が所持している携帯端末（ＭＰ）に個別の情報が配信されるものである。
【００１９】
携帯端末（ＭＰ）は、いわゆる携帯電話端末であり、ネットワーク接続機能を備えており、電子メールやWEBデータの表示が可能な表示部（ＤＩＳＰ）を備えている。さらに、この携帯端末（ＭＰ）には、前述の電話通信機能の他に、無線ＬＡＮ、ＲＦ−ＩＤ、ブルートゥース、赤外線通信等の近距離通信機能部を備えており、携帯端末（ＭＰ）がゲート（ＧＴ）を通過するとゲート（ＧＴ）から送信される読出信号に対応して、近距離通信機能部からゲート（ＧＴ）に対して前記携帯端末（ＭＰ）の端末ＩＤが返信されるようになっている。
【００２０】
図２は、本実施形態における特定空間の例を示したものである。特定空間としては、スーパーマーケットやコンビニエンスストア（ＣＶＳ）、ＣＤショップ、レンタルショップが挙げられる。これらの特定空間の出入り口に前記のようなゲート（ＧＴ）が設けられている。
【００２１】
なお、携帯端末（ＭＰ）は前記情報として、ＵＲＬを記載した電子メールを受信してその表示部（ＤＩＳＰ）に当該ＵＲＬを表示する場合と、ブラウザプログラム上で直接ＵＲＬを受信して表示する場合とがある。
【００２２】
図５は本発明のシステム構成を示している。
本システムは、ゲート（ＧＴ）と、サーバ（ＳＶ）とＰＯＳ端末とで構成されており、サーバ（ＳＶ）は中央処理装置（ＣＰＵ）を中心に、メモリおよびデータベース（ＤＢ）を有している。
【００２３】
また、中央処理装置（ＣＰＵ）は、外部インターフェースを介してＰＯＳ端末に接続されている。
【００２４】
前記ゲート（ＧＴ）には、外部情報取得アンテナ部、ＲＦ−ＩＤ受信部又は近距離無線ＬＡＮユニット等が接続されており、ゲート（ＧＴ）を通過する携帯端末（ＭＰ）の近距離通信機能部と通信が可能になっている。
【００２５】
データベース（ＤＢ）には、端末ＩＤと、メールアドレスと、通過回数と、ＵＲＬとが登録されるようになっている。端末ＩＤは端末固有のＩＤや電話番号を登録しておくことができる。メールアドレスは携帯端末（ＭＰ）のメールアドレスであり、回数はゲート（ＧＴ）の通過回数を意味している。そして、ＵＲＬは配信すべき情報が登録されたアドレスを意味している。なお、データベース（ＤＢ）には、この他に当該端末ＩＤを所持する利用者のプロファイル等を登録しておいてもよい。すなわち、男女、年代、職業、趣味等のプロファイルを登録しておくことで、中央処理装置（ＣＰＵ）は、メモリにロードされたプログラムに基づいて入場時または退出時に当該プロファイルとのマッチング処理を行い最適な情報が格納されている情報のアドレスを前記利用者の携帯端末（ＭＰ）に送信することも可能である。
【００２６】
携帯端末（ＭＰ）を所持した利用者（ＵＳＥＲ）がゲート（ＧＴ）を通過して特定空間内に進入すると、サーバ（ＳＶ）の外部情報取得アンテナ部は携帯端末（ＭＰ）から端末ＩＤを取得する。
【００２７】
次に、サーバ（ＳＶ）の中央処理装置（ＣＰＵ）は、前記で取得した端末ＩＤをデータベース（ＤＢ）に登録する。このとき、回数項目として初期値である１を登録する。なお、このとき、データベース（ＤＢ）に既に端末ＩＤが登録されており、回数項目の数値が１以外の場合には、回数項目を＋１するとともに、対応するメールアドレスが登録されているか否かを検索する。なお、メールアドレスは前記携帯端末（ＭＰ）から端末ＩＤを取得する際に同時にこの携帯端末（ＭＰ）から読み出すようにしてもよい。
【００２８】
次に、中央処理装置（ＣＰＵ）は、データベース（ＤＢ）から携帯端末（ＭＰ）のメールアドレスを読み出して、対応するＵＲＬを格納した電子メールを生成し、図３に示すメールサーバ（ＳＶ）を介して前記メールアドレスに対して送信する。
【００２９】
このＵＲＬには、特定空間内（店舗内）の特売情報等が登録されており、携帯端末（ＭＰ）が受信したＵＲＬを表示し、このＵＲＬが指定されると、表示部に当該特売情報が表示されるようになっている。
【００３０】
なお、当該特定空間内（店舗内）で当該利用者（ＵＳＥＲ）が商品を購入した場合には、ＰＯＳ端末を通じて利用者（ＵＳＥＲ）の携帯端末（ＭＰ）のメモリ内に購入ポイント等の購入記録を蓄積してもよい。
【００３１】
そして、ゲート（ＧＴ）を通じて利用者（ＵＳＥＲ）が特定空間内（店舗内）から退出したときには、サーバ（ＳＶ）の外部情報取得アンテナ部は携帯端末（ＭＰ）から端末ＩＤを取得し、前記端末ＩＤに対応した回数を＋１だけ加算する。このとき、たとえば入場時の回数項目が１であれば、退出時の回数項目の値は２となる。
このようにすれば、データベース（ＤＢ）の回数項目の値が奇数の場合には利用者（ＵＳＥＲ）は特定空間（店舗内）にいる状態を示しており、偶数の場合には特定空間（店舗内）から退出した状態を示している。したがって、配信するＵＲＬに登録した情報も入場時（回数が奇数回の時）には「ようこそいらっしゃいました。現在○○が特売中です。」というような歓迎メッセージを配信することができ、退出時（回数が偶数回の時）には「ご来店ありがとうございました。次回のセールは○月○日です。ご来店をお待ちしております。」というようなメッセージを配信することができる。
なお、退出時にゲートを通過せずに利用者が別の通用口等から退出する場合も考えられるため、サーバに図示しないタイマを設けておき、中央処理装置（ＣＰＵ）は、データベースを監視し、回数項目が奇数状態となって一定時間（たとえば１〜３時間程度）経過したものは強制的に＋１を加算して偶数値に強制的に変更してもよい。
【００３２】
なお、本発明の特定空間での情報配信システムは、上記した実施の形態に限定されるものではなく、本発明の要旨を逸脱しない範囲内において種々変更を加え得ることは勿論である。
【００３３】
たとえば、実施形態ではデータベース（ＤＢ）の回数項目の奇数・偶数によって入場時か退出時かを判定したが、データベース（ＤＢ）に１ビットのフラグエリアを設けて、ゲート（ＧＴ）を通過する度にフラグを反転（０→１または１→０）させるようにしてもよい。すなわち、フラグが０の場合には退出状態を示し、フラグが１の場合には入場状態を示すことになる。この場合、サーバ（ＳＶ）の中央処理装置（ＣＰＵ）は、図示しないタイマを用いて、フラグが１に反転してから、一定時間（たとえば１〜３時間）経過した段階で０に反転していない場合には、中央処理装置（ＣＰＵ）が当該フラグを強制的に１→０に反転させてもよい。このようにすれば既に利用者が退出しているにもかかわらず、サーバ（ＳＶ）が長時間の入場状態にあると誤認識することを防止できる。
【産業上の利用可能性】
【００３４】
本発明の特定空間での情報配信システムは個別の利用者の状態を考慮して最適な情報を配信することができる。
【図面の簡単な説明】
【００３５】
【図１】本発明の概念図（１）
【図２】本発明の概念図（２）
【図３】利用者の入場時のゲート通過を示す説明図
【図４】利用者の退出時のゲート通過を示す説明図
【図５】実施形態のシステム構成図
【符号の説明】
【００３６】
ＣＰＵ  中央処理装置
ＳＶ  サーバ
ＤＢ  データベース
ＭＰ  携帯端末
ＵＳＥＲ  利用者
ＧＴ  ゲート
【図１】
2005284617.tif 000003
【図２】
2005284617.tif 000004
【図３】
2005284617.tif 000005
【図４】
2005284617.tif 000006
【図５】
2005284617.tif 000007